(57)【特許請求の範囲】
【請求項１】
画像データをファクシミリ受信したときに、送信先となるクライアントを識別し、識別したクライアントに、受信した画像データを配信するファクシミリサーバにおいて、
ファクシミリ受信を開始した後に、少なくとも、１ページ分の画像データをファクシミリ受信したときには、受信した画像データを、上記識別したクライアントに配信する一方、ファクシミリ受信を開始した後に、最初の１ページ分の画像データがファクシミリ受信できなかったときには、データ受信した旨を、上記識別したクライアントに通知することを特徴とする、ファクシミリサーバ。
【請求項２】
請求項１において、
上記送信先となるクライアントが識別できないときには、受信した画像データを、予め設定した所定のクライアントに配信することを特徴とする、ファクシミリサーバ。
【請求項３】
ファクシミリサーバに対して、ファクシミリ受信を開始した後に、少なくとも、１ページ分の画像データをファクシミリ受信したときには、受信した画像データを、識別したクライアントに配信する一方、ファクシミリ受信を開始した後に、最初の１ページ分の画像データがファクシミリ受信できなかったときには、データ受信した旨を、上記識別したクライアントに通知する機能を実行させるためのプログラムを記録した、プログラム記録媒体。
【発明の詳細な説明】
【０００１】
【発明の属する技術分野】
本発明は、ファクシミリ受信したデータを、通信ネットワークに接続される所定のクライアントに配信する機能を備えるファクシミリサーバ、およびプログラム記録媒体に関する。
【０００２】
【従来の技術】
近時、オフィスなどにおいて、ネットワークファクシミリシステムが普及してきており、データ通信上有益な役割を果たしている。このようなシステムは、ＬＡＮなどの通信ネットワークにより、ファクシミリサーバと、クライアントとを接続して構成しており、ファクシミリサーバが、データをファクシミリ受信したときには、受信したデータを所定のクライアントに配信することができるようになっている。
【０００３】
【発明が解決しようとする課題】
ところで、ファクシミリサーバは、データのファクシミリ受信が正常に終了したときのみ、受信したデータをクライアントに配信するようになっており、ファクシミリ受信が正常に終了せずに、途中までしか受信しなかったときには、その時点で受信済みのデータをクライアントに配信することがなく、そのときクライアントでは、ファクシミリサーバがデータをファクシミリ受信した旨を確認することができなかった。
【０００４】
本発明は、上記事情を考慮してなされたものであり、データのファクシミリ受信が正常に終了しなかったときにも、クライアントがファクシミリサーバにおいてファクシミリ受信があったことを確認することのできるファクシミリサーバ、およびファクシミリサーバにこのような機能を実施させることのできるプログラム記録媒体を提供することを目的としている。
【０００５】
【課題を解決するための手段】
上記目的を達成するために、本発明の請求項１に記載のファクシミリサーバでは、ファクシミリ受信を開始した後に、少なくとも、１ページ分の画像データをファクシミリ受信したときには、受信した画像データを、上記識別したクライアントに配信する一方、ファクシミリ受信を開始した後に、最初の１ページ分の画像データがファクシミリ受信できなかったときには、データ受信した旨を、上記識別したクライアントに通知することを特徴とする。
【０００６】
請求項２に記載のファクシミリサーバでは、請求項１において、上記送信先となるクライアントが識別できないときには、受信した画像データを、予め設定した所定のクライアントに配信することを特徴とする。
【０００７】
請求項３に記載のプログラム記録媒体では、ファクシミリサーバに対して、ファクシミリ受信を開始した後に、少なくとも、１ページ分の画像データをファクシミリ受信したときには、受信した画像データを、識別したクライアントに配信する一方、ファクシミリ受信を開始した後に、最初の１ページ分の画像データがファクシミリ受信できなかったときには、データ受信した旨を、上記識別したクライアントに通知する機能を実行させるためのプログラムを記録している。
【０００８】
【発明の実施の形態】
以下に、本発明の実施の形態について、図面とともに説明する。図１は、本発明のファクシミリサーバ１の要部構成の一例を示すブロック図である。図２は、ファクシミリサーバ１を備えたネットワークファクシミリシステムの構成を示す図である。
【０００９】
ファクシミリサーバ１は、電話回線Ｌを接続するとともに、通信ネットワークとしてＬＡＮ（Ｎ１）を接続しており、このＬＡＮ（Ｎ１）には、図２に示すように、パーソナルコンピュータで構成される複数のクライアント２を接続している。
【００１０】
ファクシミリサーバ１は、ＩＴＵ−ＴによるＴ．３０勧告に従った手順に基づいて、公衆回線網Ｎ２を介してファクシミリ装置３からデータを受信したときには、図３のフローチャートに示すような処理をなす。
【００１１】
すなわち、ファクシミリサーバ１は、ファクシミリ装置３からの着信を受けて（１００）、先述したＴ．３０勧告に従った手順に基づいてデータをファクシミリ受信する（１０１）。そして、ファクシミリ受信が正常に終了し（１０２）、受信したデータに、配信先となるクライアント２のアドレスなどが含まれており、配信先となるクライアント２が特定できれば（１０３）、特定したクライアント２に対して、通信プロトコルの１つであるＳａｌｕｔａｔｉｏｎプロトコルによって、受信した全てのデータ（全頁）を配信する（１０４）。
【００１２】
ファクシミリ装置３からのファクシミリ受信が正常に終了しなかったときには（１０２）、受信できたデータから、配信先となるクライアント２が特定可能であれば（１０５）、そのデータより配信先となるクライアント２を特定して（１０６）、先述したＳａｌｕｔａｔｉｏｎプロトコルに基づいて、受信できたデータ（受信できた頁）を配信する（１０７）。なお、最初の１頁目の受信ができていないときには、特定したクライアント２に対して、先述したＳａｌｕｔａｔｉｏｎプロトコルに基づいて、データ受信した旨を通知する。一方、配信先となるクライアント２が特定可能でなければ（１０５）、データ受信した旨を、先述したＳａｌｕｔａｔｉｏｎプロトコルに基づいて、予め設定した管理者のクライアント２に対して通知する（１０８）。
【００１３】
図１中、１０は以下の各部を制御するＣＰＵ、１１は画像データや、電話帳データなどのユーザの登録データを記憶するとともに、プログラムの処理に必要なデータを一時的に記憶するＲＡＭ、１２は制御プログラムなどを予め記憶したＲＯＭ、１３は原稿から画像データを読み取り、イメージデータに変換するスキャナ、１４は電話回線ＬやＬＡＮ（Ｎ１）を介して受信した画像や、スキャナ１３から読み取った画像を所定の記録紙に記録するプリンタである。
【００１４】
また、１５は電話回線Ｌに対する接続制御をするＮＣＵ、１６はファクシミリ通信に必要な各種信号を変復調するモデム、１７は液晶画面や各種操作キーなどで構成される操作パネル、１８はイメージデータを、ファクシミリ通信のためにＭＨ，ＭＲ，ＭＭＲ方式などで符号化および復号するＣＯＤＥＣ、１９はＬＡＮ（Ｎ１）をイーサネットなどの規格に準じて接続するＬＡＮインタフェースである。
【００１５】
更に、２０はＣＤ−ＲＯＭやフロッピーディスクなどのプログラム記録媒体２１を読み取る媒体読取部であり、プログラム記録媒体２１には、ファクシミリサーバ１が先述した動作を実施するのを可能にするプログラムが記録されており、媒体読取部２０がプログラム記録媒体２１からプログラムを読み取れば、読み取ったプログラムがＲＡＭ１１に記憶され、先述した動作を実施するのが可能となる。
【００１６】
【発明の効果】
以上の説明からも理解できるように、本発明の請求項１に記載のファクシミリサーバによれば、ファクシミリ受信を開始した後に、少なくとも、１ページ分の画像データをファクシミリ受信したときには、受信した画像データを、識別したクライアントに配信する一方、ファクシミリ受信を開始した後に、最初の１ページ分の画像データがファクシミリ受信できなかったときには、データ受信した旨を、識別したクライアントに通知する。
そのため、データのファクシミリ受信が正常に終了しなかったときにも、クライアントがファクシミリサーバにおいてファクシミリ受信があったことを確認することができる。
【００１７】
請求項２に記載のファクシミリサーバによれば、送信先となるクライアントが識別できないときには、受信した画像データを、予め設定した所定のクライアントに配信するので、管理者は、ファクシミリサーバがデータ受信した旨を容易に確認して、再度データを送信してもらうなどの対処をすることができる。
【００１８】
請求項３に記載のプログラム記録媒体によれば、ファクシミリサーバに対して、ファクシミリ受信を開始した後に、少なくとも、１ページ分の画像データをファクシミリ受信したときには、受信した画像データを、識別したクライアントに配信する一方、ファクシミリ受信を開始した後に、最初の１ページ分の画像データがファクシミリ受信できなかったときには、データ受信した旨を、上記識別したクライアントに通知する機能を実行させるためのプログラムを記録している。
そのため、ファクシミリサーバに、このプログラム記録媒体を読み取らせて、プログラム記録媒体のプログラムを記憶させれば、請求項１に記載の機能を実施することができる。
【図面の簡単な説明】
【図１】本発明のファクシミリサーバの要部構成の一例を示すブロック図である。
【図２】本発明のファクシミリサーバを備えたネットワークファクシミリシステムの構成を示す図である。
【図３】ファクシミリサーバの基本動作の一例について説明するためのフローチャートである。
【符号の説明】
１・・・ファクシミリサーバ
２・・・クライアント
２１・・・プログラム記録媒体
【図１】
0004016574.tif 000002
【図２】
0004016574.tif 000003
【図３】
0004016574.tif 000004